(57)【要約】【課題】本発明は、頭頂付近以外の衝撃を吸収することができ、ヘルメット内部に熱こもりや蒸れが改善された衝撃吸収体を提供する。【解決手段】帽体の内側にあるアーチ状の衝撃吸収体であって、アーチ状の長手方向の両端は、帽体への取付部１であり、帽体の頭頂を中心として直径１０cmの円の円内範囲以外の帽体への衝撃点Ａを考え、衝撃点Ａと頭頂を含む第１垂直面Ｐと、頭頂を含み第１垂直面Ｐに直角に交わる第２垂直面Ｑと、高さ方向の中央にある第１水平面Ｒで、帽体を８分割したとき、帽体の取付部１が、第２垂直面Ｑで切断された衝撃点Ａを含まない帽体部分であって、第１水平面Ｒより下部であって、第１垂直面Ｐの左右にあり、アーチ状の長手方向の中央部２が、衝撃点Ａにおける法線の帽体内曲面の交点の近傍に配置される第１の衝撃吸収体。【選択図】図１
2020050980.tif 000002
【特許請求の範囲】
【請求項１】
帽体の内側にあるアーチ状の衝撃吸収体であって、アーチ状の長手方向の両端は、帽体への取付部（１）であり、帽体の頭頂を中心として曲面での直径１０cmの円の円内範囲以外の帽体への衝撃点(Ａ)を考え、衝撃点（Ａ）と頭頂を含む第１垂直面（Ｐ）と、頭頂を含み第１垂直面（Ｐ）に直角に交わる第２垂直面（Ｑ）と、高さ方向の中央にある第１水平面（Ｒ）で、帽体を８分割したとき、帽体の取付部（１）が、第２垂直面（Ｑ）で切断された衝撃点(Ａ)を含まない帽体部分であって、第１水平面（Ｒ）より下部であって、第１垂直面（Ｐ）の左右にあり、アーチ状の長手方向の中央部（２）が、衝撃点（Ａ）における法線の帽体内曲面の交点の近傍に配置される第１の衝撃吸収体。
【請求項２】
請求項１に記載の第２垂直面（Ｑ）に対して請求項１に記載の第１の衝撃吸収体と対称に位置する衝撃吸収体を第２の衝撃吸収体としたとき、請求項１に記載の第１の衝撃吸収体と第２の衝撃吸収体を有する第３の衝撃吸収体。
【請求項３】
請求項２に記載の第３の衝撃吸収体を帽体の頭入口の円周の円周方向に時計周りで９０度回転させた衝撃吸収体を第４の衝撃吸収体としたとき、請求項２に記載の第３の衝撃吸収体と第４の衝撃吸収体を有する第５の衝撃吸収体。
【発明の詳細な説明】
【技術分野】
【０００１】
本発明は、ヘルメットの帽体内部に設けられている衝撃吸収体に関する。
【背景技術】
【０００２】
通常、産業用ヘルメットの帽体の内面には、ハンモックが取り付けられている。ハンモックは、通常、頭頂部から放射線状に下に延びる脚部を備え、各脚部の下端部は、帽体の下縁側内面に着脱自在に連結されている。そうすることで、人頭を帽体内部の定位置に安定させるとともに、頭頂付近の垂直方向の衝撃を緩和する役目を果たしている。
【０００３】
また、頭頂付近以外の衝撃も緩和するため、衝撃吸収ライナが取付けられている。衝撃吸収ライナは、通常、発泡スチロール等により形成されており、帽体の内面を殆ど覆っている（例えば、特許文献１）。
【０００４】
しかし、帽体と着装体との間にこのようなライナが設けられていると、帽体と人頭との間の空隙が僅かとなることから、ヘルメット内部の通気性が悪く、衝撃吸収ライナにより放熱も阻害される。このため、ヘルメット内部に熱こもりや蒸れが生じて着用時の快適性が損なわれる不都合がある。
そこで、発泡スチロール等による帽体の内面を殆ど覆うライナを取り除き、ハンモックに工夫をこらすことで、衝撃を吸収する構造が提案されている（特許文献２、特許文献３）。
【先行技術文献】
【特許文献】
【０００５】
【特許文献１】特開２０１４−２２１９４８号公報
【特許文献２】特開２０１５−２５２２６号公報
【特許文献３】特開２０１７−１３３１２４号公報
【発明の概要】
【発明が解決しようとする課題】
【０００６】
本発明は、頭頂付近以外の衝撃を吸収することができ、ヘルメット内部に熱こもりや蒸れが改善された衝撃吸収体を提供する。
【課題を解決するための手段】
【０００７】
即ち、本発明は、
（１）帽体の内側にあるアーチ状の衝撃吸収体であって、アーチ状の長手方向の両端は、帽体への取付部１であり、帽体の頭頂を中心として曲面での直径１０cmの円の円内範囲以外の帽体への衝撃点Ａを考え、衝撃点Ａと頭頂を含む第１垂直面Ｐと、頭頂を含み第１垂直面Ｐに直角に交わる第２垂直面Ｑと、高さ方向の中央にある第１水平面Ｒで、帽体を８分割したとき、帽体の取付部１が、第２垂直面Ｑで切断された衝撃点Ａを含まない帽体部分であって、第１水平面Ｒより下部であって、第１垂直面Ｐの左右にあり、アーチ状の長手方向の中央部２が、衝撃点Ａにおける法線の帽体内曲面の交点の近傍に配置される第１の衝撃吸収体、
（２）（１）に記載の第２垂直面Ｑに対して（１）に記載の第１の衝撃吸収体と対称に位置する衝撃吸収体を第２の衝撃吸収体としたとき、（１）に記載の第１の衝撃吸収体と第２の衝撃吸収体を有する第３の衝撃吸収体、
（３）（２）に記載の第３の衝撃吸収体を帽体の頭入口の円周の円周方向に時計周りで９０度回転させた衝撃吸収体を第４の衝撃吸収体としたとき、（２）に記載の第３の衝撃吸収体と第４の衝撃吸収体を有する第５の衝撃吸収体、である。
【発明の効果】
【０００８】
本発明の衝撃吸収体であれば、頭頂付近以外の衝撃に対して衝撃を吸収することができ、ヘルメット内部に熱こもりや蒸れが改善される。
【図面の簡単な説明】
【０００９】
【図１】図１は、本発明の第１の例の衝撃吸収体の斜視図である。
【図２】図２は、本発明の第２の例の衝撃吸収体の斜視図である。
【発明を実施するための形態】
【００１０】
本発明のアーチ状の衝撃吸収体は、斜め方向あるいは横方向の衝撃を目的としたものであるからほぼ垂直方向の衝撃となる帽体の頭頂付近の衝撃、即ち、帽体の頭頂を中心として曲面での直径１０cmの円の円内の帽体への衝撃は考慮していない。それらの衝撃は、従来のハンモック、即ち、頭頂部から放射線状に下に延びる脚部を備え、各脚部の下端部は、帽体の下縁側内面に着脱自在に連結される構造のハンモックで衝撃吸収が緩和可能だからである。
【００１１】
アーチ状の長手方向の中央部２は、衝撃点Ａにおける法線の帽体内曲面の交点の近傍に配置される。中央部２は、幅方向に所定の幅を持つが、衝撃点Ａにおける法線の帽体内曲面の交点との距離を考える場合は、中央部２と交点との最短距離を考える。この距離は、ヘルメットの形状にもよるが、通常４から５センチメートルである。それぐらいであれば、衝撃でへこみが生じた場合でもへこみが人頭にとどくことがないからである。
【００１２】
先の（１）に記載のように、アーチ状の衝撃吸収体の取付部１、中央部２を配置することにより、衝撃点Ａに衝撃が加わったとき、帽体が衝撃方向に動こうとするが、それにともないアーチ状の衝撃吸収体は、一対の取付部１の間にこの移動を阻止しようとする張力が働き、衝撃を吸収することになる。
【００１３】
本発明のアーチ状の衝撃吸収体は、従来のハンモック、即ち、頭頂部から放射線状に下の延びる脚部を備え、各脚部の下端部は、帽体の下縁側内面に着脱自在に連結される構造のハンモックと併用してもいい。この場合、従来のハンモックと一体成型することも可能である。また、後の実施例２で示すがごとく、それ自体、頭部を帽体に安定させるためのハンモックとして使用することもできる。
【００１４】
衝撃吸収体の材質は、ポリエチレン、ポリプロピンなどの弾性力のある樹脂、繊維、皮等の張力を有する素材が好ましい。
ハンモックと一体成型しないのであれば、ハンモックは衝撃吸収体に関係なく、自由に材質を選択できる。
樹脂など用いる場合は、アーチ状の帯部分に複数の貫通孔を設けることで軽くすることもできる。
以下、本発明を図面を参照しながら、本発明の実施例について説明する。
【実施例１】
【００１５】
図１は、本発明の第１の例の衝撃吸収体の斜視図である。一点鎖線がヘルメットの帽体であり、長破線が衝撃点Ａにおける法線である。本実施例では、衝撃点Ａは、帽体正面で、帽体左右方向の中央、帽体の高さ方向で下から3/4の位置を想定している。従って、衝撃点Ａと帽体の頭頂を含む第１垂直面Ｐは、帽体の正面を左右方向の中央で帽体を二分する垂直面となる。また、第２垂直面Ｑは、帽体の正面を前としたとき、前後方向の中央で帽体を二分する。第１水平面Ｒは、帽体の高さ方向の中央で帽体を二分する。面Ｐ、Ｑ、Ｒは、破線で示してある。
【００１６】
衝撃吸収体はアーチ状をしており、帽体への取付部１は、アーチ状の両端部にある。本実施例では、帽体の突起部分に取り付けるため、取付のための開口がある。
取付部１は、帽体の後ろ下部の左右に位置する。そして、アーチ状の中央部２と衝撃点Ａにおける法線と帽体内曲面の交点との最短距離は、４センチメートルである。
【実施例２】
【００１７】
実施例１では、帯状の衝撃吸収体の安定が悪く、安定させるためには、一対の取付部１の間で、少なくとも、もう一点、帽体、あるいはハンモック等に支持されるほうがいい。しかし、帯状の衝撃吸収体を２つ組み合わせることで、アーチ状の衝撃吸収体を安定させることが可能である。図２は、その例で、本発明の第２の例の衝撃吸収体の斜視図である。衝撃点Ａの位置は、実施例１と同じである。衝撃点Ｂの位置は、衝撃点Ａと第２垂直面に対して、対称な位置にある。従って、この衝撃点Ｂに対するアーチ状の衝撃体の取付部１は、帽体の前側の下部の左右に位置する。また、アーチ状の長手方向の中央部２は、衝撃点Ｂにおける法線と帽体内曲面の交点との最短距離は、４センチメートルである。
【００１８】
衝撃点Ａに対応する衝撃吸収体を第１の衝撃吸収体、衝撃点Ｂに対応する衝撃吸収体を第２の衝撃吸収体としたとき、第１の衝撃吸収体と第２の衝撃吸収体の交差している面は、例えば、接着剤で連結されている。このように、することにより、前斜めと後ろ斜めの衝撃を吸収することができ、かつ衝撃体も帽体への取付部１が４点あり、安定した構造とすることができる。
【００１９】
実施例２の衝撃吸収体を第３の衝撃吸収体としたとき、第３の衝撃吸収体を帽体の頭入口の円周の円周方向に時計周りで９０度回転させた衝撃吸収体を第４の衝撃吸収体とし、第３の衝撃吸収体と第４の衝撃吸収体をあわせた第５の衝撃吸収体を考えることもできる。第５の衝撃吸収体の構造であれば、前後の衝撃吸収にくわえ、側面からの衝撃も吸収することができる。
【符号の説明】
【００２０】
１  取付部
２  中央部
Ａ  帽体における衝撃点
Ｂ  衝撃点Ａと第２垂直面に対して対象の位置にある衝撃点
Ｐ  衝撃点Ａと頭頂を含む第１垂直面
Ｑ  頭頂を含み第１垂直面に直角に交わる第２垂直面
Ｒ  帽体の高さ方向の中央にある水平面
【図１】
2020050980.tif 000003
【図２】
2020050980.tif 000004